(57)【要約】【課題】部品点数及び取付工数を低減させることでコストの低減化を図ることができるインバータ装置を提供すること。【解決手段】中空部４０に配線１００が通過する態様で配設される筒状のフェライトコアＦＣを電源ケース２０の収納凹部３０に収納した状態で備えたインバータ装置１であって、収納凹部３０を構成する上端側収納側部３２より突出する態様で延在し、かつ収納凹部３０を構成する収納底部３１及び上端側収納側部３２との間で自身の弾性復元力によりフェライトコアＦＣを狭持する支持片３５と、収納底部３１より突出する態様で形成され、かつフェライトコアＦＣの裏面側端面４１の一部に当接する第１突起片３０ａと、支持片３５より突出する態様で形成され、かつフェライトコアＦＣの他端面表面側端面４２の一部に当接する第２突起片３５ａを備えたものである。【選択図】図４
2014023355.tif 000002
【特許請求の範囲】
【請求項１】
中空部に配線が通過する態様で配設される筒状のフェライトコアをケース体の収納凹部に収納した状態で備えたインバータ装置であって、
前記収納凹部を構成する一方の収納側部より突出する態様で延在し、かつ前記収納凹部を構成する収納底部及び前記収納側部との間で自身の弾性復元力により前記フェライトコアを狭持する支持片と、
前記収納底部より突出する態様で形成され、かつ前記フェライトコアの一端面の一部に当接する第１突起部と、
前記支持片より突出する態様で形成され、かつ前記フェライトコアの他端面の一部に当接する第２突起部と
を備えたことを特徴とするインバータ装置。
【請求項２】
前記支持片は、
前記収納側部より前記収納底部の延在方向に沿って延在する第１支持部と、
前記第１支持部の延在端部より前記収納底部に近接する方向に沿って延在する第２支持部と
を備えたことを特徴とする請求項１に記載のインバータ装置。
【請求項３】
前記第１突起部は、前記収納底部の延在方向に亘って形成され、かつ前記フェライトコアの一端部における前記中空部による開口を開放した状態で該一端部の一部に当接することを特徴とする請求項１又は請求項２に記載のインバータ装置。
【請求項４】
前記第２突起部は、前記第１支持部の延在方向に亘って形成され、かつ前記フェライトコアの他端部における前記中空部による開口を開放した状態で該他端部の一部に当接することを特徴とする請求項２又は請求項３に記載のインバータ装置。
【発明の詳細な説明】
【技術分野】
【０００１】
本発明は、インバータ装置に関し、より詳細には、中空部に配線が通過する態様で配設される筒状のフェライトコアをケース体の収納凹部に収納した状態で備えたインバータ装置に関するものである。
【背景技術】
【０００２】
従来、商用の交流電源等から交流電力を受電し、任意の周波数及び電圧の交流電力に変換して出力することにより負荷を駆動するインバータ装置が知られている。このようなインバータ装置において、端子間を接続する配線のノイズ低減のためにフェライトコアを備えたものが提案されている（例えば、特許文献１参照）。
【先行技術文献】
【特許文献】
【０００３】
【特許文献１】特開２００８−１２５２４８号公報
【発明の概要】
【発明が解決しようとする課題】
【０００４】
ところで、上述した特許文献１には明記されていないが、上記フェライトコアについては、インバータ装置を構成するケース体の収納凹部において、いわゆるインシュロック（登録商標）と称されるような結束バンドを用いて取り付けられているのが一般的であった。
【０００５】
そのため、フェライトコアを収納するためには、結束バンドを必要とし、かかる結束バンドで個々のフェライトコアを取り付ける必要があり、部品点数及び取付工数の増大によりコストの増大化を招来していた。
【０００６】
本発明は、上記実情に鑑みて、部品点数及び取付工数を低減させることでコストの低減化を図ることができるインバータ装置を提供することを目的とする。
【課題を解決するための手段】
【０００７】
上記目的を達成するために、本発明は、中空部に配線が通過する態様で配設される筒状のフェライトコアをケース体の収納凹部に収納した状態で備えたインバータ装置に関するものである。本発明に係るインバータ装置は、前記収納凹部を構成する一方の収納側部より突出する態様で延在し、かつ前記収納凹部を構成する収納底部及び前記収納側部との間で自身の弾性復元力により前記フェライトコアを狭持する支持片と、前記収納底部より突出する態様で形成され、かつ前記フェライトコアの一端面の一部に当接する第１突起部と、前記支持片より突出する態様で形成され、かつ前記フェライトコアの他端面の一部に当接する第２突起部とを備えたことを特徴とする。
【０００８】
また、本発明は、上記インバータ装置において、前記支持片は、前記収納側部より前記収納底部の延在方向に沿って延在する第１支持部と、前記第１支持部の延在端部より前記収納底部に近接する方向に沿って延在する第２支持部とを備えたことを特徴とする。
【０００９】
また、本発明は、上記インバータ装置において、前記第１突起部は、前記収納底部の延在方向に亘って形成されており、前記フェライトコアの一端部における前記中空部による開口を開放した状態で該一端部の一部に当接することを特徴とする。
【００１０】
また、本発明は、上記インバータ装置において、前記第２突起部は、前記第１支持部の延在方向に亘って形成されており、前記フェライトコアの他端部における前記中空部による開口を開放した状態で該他端部の一部に当接することを特徴とする。
【発明の効果】
【００１１】
本発明によれば、収納凹部を構成する一方の収納側部より突出する態様で延在する支持片が収納底部及び上記収納側部との間でフェライトコアを狭持し、収納底部より突出する態様で形成された第１突起部がフェライトコアの一端面の一部に当接し、支持片より突出する態様で形成された第２突起片がフェライトコアの他端面の一部に当接することにより、フェライトコアを前後方向、上下方向及び左右方向への移動を規制した状態で保持することができる。しかも、従来のように結束バンド等を必要とせず、支持片の弾性復元力を利用するだけなので部品点数を低減、並びに取付工数を低減させることができる。従って、品点数及び取付工数を低減させることでコストの低減化を図ることができるという効果を奏する。
【図面の簡単な説明】
【００１２】
【図１】図１は、本発明の実施の形態であるインバータ装置を示す斜視図である。
【図２】図２は、本発明の実施の形態であるインバータ装置を示す正面図である。
【図３】図３は、図２におけるＡ−Ａ線断面図である。
【図４】図４は、図３に示す収納凹部を正面から見た場合を示す説明図である。
【図５】図５は、図４におけるＢ−Ｂ線断面図である。
【図６】図６は、図３に示したフェライトコアの機能を説明するための説明図である。
【発明を実施するための形態】
【００１３】
以下に添付図面を参照して、本発明に係るインバータ装置の好適な実施の形態について詳細に説明する。
【００１４】
図１〜図３は、それぞれ本発明の実施の形態であるインバータ装置を示すものであり、図１は斜視図、図２は正面図、図３は図２におけるＡ−Ａ線断面図である。ここで例示するインバータ装置１は、商用電源から供給された交流電力を所望の周波数及び電圧の交流電力に変換して出力するものである。
【００１５】
このようなインバータ装置１においては、フレーム１０と裏面カバー１１とにより囲繞される空間には、冷却フィン１２、冷却ファン１３及び直流リアクトル（図示せず）が収納されている一方、上記裏面カバー１１、表面カバー１４、左右一対のサイドカバー１５、天板１６及び底板１７に囲繞される空間には、各種制御回路が収納されている。
【００１６】
そして、かかるインバータ装置１では、図３に示すように、フェライトコアＦＣが樹脂製の電源ケース（ケース体）２０の収納凹部３０に収納されている。ここで電源ケース２０は、上記制御回路を構成する電源プリント基板２１を支持するためのものである。
【００１７】
図４は、図３に示す収納凹部を正面から見た場合を示す説明図であり、図５は、図４におけるＢ−Ｂ線断面図である。
【００１８】
これら図４及び図５に示すように、収納凹部３０は、電源ケース２０の側部の一部に設けられており、上下方向に沿って延在する収納底部３１と、この収納底部３１の上端部より側方（左方）に向けて延在する上端側収納側部３２と、この収納側部の下端部より側方（左方）に向けて延在する下端側収納側部３３とが連続して形成されることにより構成されている。この下端側収納側部３３は、上端側収納側部３２と上下一対となるものであり、その内面が上端側収納側部３２の内面に対向している。
【００１９】
このような収納凹部３０においては、複数（図示の例では３つ）のフェライトコアＦＣが収納されている。フェライトコアＦＣは、図６に模式的に示すように、それぞれが円筒状の形態を成すものであり、上記制御回路を構成する端子１０１，１０２間を接続する配線１００が自身の中空部４０を通過する態様で配設されることにより該配線１００のノイズ低減を図るためのものである。
【００２０】
上記収納凹部３０を構成する収納底部３１の裏面側端部には、左方に向けて突出する第１突起片（第１突起部）３０ａが形成されている。この第１突起片３０ａは、フェライトコアＦＣの円環状の裏面側端面（一端面）４１の一部に当接、より詳細には、裏面側端面４１における中空部４０による開口４１ａを開放した状態でその一部に当接することが可能なものである。
【００２１】
上記収納凹部３０を構成する上端側収納側部３２には、同質の材料（樹脂材）から構成される支持片３５が形成されている。支持片３５は、上端側収納側部３２より下方に向けて延在する下延部（第１支持部）３５１と、この下延部３５１の延在端部より収納底部３１に近接する方向、すなわち右方に向けて延在する右延部（第２支持部）３５２とが一体的に形成されて構成されている。
【００２２】
下延部３５１は、その延在長さが収納底部３１の上下方向の延在長さよりも短く、その内面が収納底部３１の内面に対向している。この下延部３５１と収納底部３１との離間距離は、フェライトコアＦＣの外径よりも僅かに小さい大きさに調整されている。
【００２３】
右延部３５２は、その内面が上端側収納側部３２の内面に対向している。この右延部３５２と上端側収納側部３２との離間距離は、フェライトコアＦＣの外径に収納数（図示の例では３つ）を乗じた大きさよりも僅かに小さい大きさに調整されている。
【００２４】
また、支持片３５の表面側端部には、第２突起片（第２突起部）３５ａが形成されている。この第２突起片３５ａは、支持片３５の下延部３５１の表面側端部より右方に向けて突出する態様で形成されており、その上端部が上端側収納側部３２に接続され、その下端部が右延部３５２に接続されている。
【００２５】
かかる第２突起片３５ａは、フェライトコアＦＣの円環状の表面側端面（他端面）４２の一部に当接、より詳細には、表面側端面４２における中空部４０による開口４２ａを開放した状態でその一部に当接することが可能なものである。つまり、この第２突起片３５ａと第１突起片３０ａとの前後方向の離間距離がフェライトコアＦＣの高さに適合している。
【００２６】
このような支持片３５は、電源ケース２０と同質の樹脂材から構成されていることから、上端側収納側部３２との接続点を基準として収納底部３１に近接離反する方向に弾性変形可能な可撓性を有するものである。
【００２７】
従って、支持片３５を収納底部３１から離反する方向に弾性変形させると、支持片３５（下延部３５１）と収納底部３１との離間距離、並びに支持片３５（右延部３５２）と上端側収納側部３２との離間距離が拡大することから、フェライトコアＦＣの進入、あるいはフェライトコアＦＣの離脱を許容することが可能となる。
【００２８】
そして、支持片３５に作用する力を除去して該支持片３５をフリーな状態にすると、支持片３５はその復元力により元の状態に戻るため、フェライトコアＦＣが進入している場合には、かかるフェライトコアＦＣを収納底部３１及び上端側収納側部３２との間で狭持することが可能となる。
【００２９】
尚、図４及び図５に示すように、支持片３５とサイドカバー１５（左側のサイドカバー１５）との間に形成される空隙は、支持片３５が収納底部３１より離隔する方向（左方）に弾性変形して該サイドカバー１５に当接することになってもフェライトコアＦＣが収納凹部３０より離脱することがない大きさとされている。
【００３０】
以上説明したように、本実施の形態であるインバータ装置１においては、収納凹部３０を構成する上端側収納側部３２より突出する態様で延在する支持片３５が収納底部３１及び上端側収納側部３２との間でフェライトコアＦＣを狭持し、収納底部３１より突出する態様で形成された第１突起片３０ａがフェライトコアＦＣの一端面の一部に当接し、支持片３５より突出する態様で形成された第２突起片３５ａがフェライトコアＦＣの他端面の一部に当接することにより、フェライトコアＦＣを前後方向、上下方向及び左右方向への移動を規制した状態で保持することができる。しかも、従来のように結束バンド等を必要とせず、支持片３５の弾性復元力を利用するだけなので部品点数を低減、並びに取付工数を低減させることができる。
【００３１】
従って、上記インバータ装置１によれば、品点数及び取付工数を低減させることでコストの低減化を図ることができる。
【００３２】
以上、本発明の好適な実施の形態について説明したが、本発明はこれに限定されるものではなく、種々の変更を行うことができる。
【００３３】
上述した実施の形態では、フェライトコアＦＣを収納する収納凹部３０は、樹脂製の電源ケース２０の側部に設けられていたが、本発明においては、収納凹部は、フェライトコアを収納するのに相応しい所望の個所に設けるようにして構わない。
【符号の説明】
【００３４】
１  インバータ装置
１０  フレーム
１１  裏面カバー
１２  冷却フィン
１３  冷却ファン
１４  表面カバー
１５  サイドカバー
１６  天板
１７  底板
２０  電源ケース（ケース体）
２１  電源プリント基板
３０  収納凹部
３０ａ  第１突起片（第１突起部）
３１  収納底部
３２  上端側収納側部
３３  下端側収納側部
３５  支持片
３５ａ  第２突起片（第２突起部）
３５１  下延部（第１支持部）
３５２  右延部（第２支持部）
４０  中空部
４１  裏面側端面（一端面）
４１ａ  開口
４２  表面側端面（他端面）
４２ａ  開口
ＦＣ  フェライトコア
【図１】
2014023355.tif 000003
【図２】
2014023355.tif 000004
【図３】
2014023355.tif 000005
【図４】
2014023355.tif 000006
【図５】
2014023355.tif 000007
【図６】
2014023355.tif 000008